(57)【要約】【課題】繰り返して使用しても優れたフィット性を維持できる吸収性物品装着用パンツ等を提供すること。【解決手段】ショーツ１０は、前身頃１１と、後身頃１３と、これら前身頃１１及び後身頃１３の間に介在する股下部１４と、前身頃１１の上端部１１１及び後身頃１３の上端部１３１で形成された腰回り部１５と、前身頃１１の下端部１１２、後身頃１３の下端部１３２、及び股下部１４の両側部１４１で形成された一対の脚開口部１６と、を備える。ショーツ１０は、股下部１４が長さ方向に沿って互いに接合されて形成された縫合部１７を有し、この縫合部１７により長さ方向における股下部１４の伸張を抑制される。【選択図】図１
2008022962.tif 000002
【特許請求の範囲】
【請求項１】
前身頃と、後身頃と、これら前身頃及び後身頃の間に介在する股下部と、前記前身頃の上端部及び前記後身頃の上端部で形成された腰回り部と、前記前身頃の下端部、前記後身頃の下端部、及び前記股下部の両側部で形成された一対の脚開口部と、を備え、内側に吸収性物品が配置される吸収性物品装着用パンツであって、
前記前身頃及び前記後身頃を結ぶ長さ方向における前記股下部の伸張を抑制する伸張抑制構造を備える吸収性物品装着用パンツ。
【請求項２】
請求項１記載の吸収性物品装着用パンツにおいて、
前記伸張抑制構造は、前記長さ方向に直交する幅方向における前記股下部の中央に関し対称配置されている吸収性物品装着用パンツ。
【請求項３】
請求項１又は２記載の吸収性物品装着用パンツにおいて、
前記伸縮抑制構造は、前記股下部が前記長さ方向に沿って互いに接合されて形成された接合部を有する吸収性物品装着用パンツ。
【請求項４】
請求項３記載の吸収性物品装着用パンツにおいて、
前記接合部は、前記吸収性物品装着用パンツの内側に突出する吸収性物品装着用パンツ。
【請求項５】
請求項１から４いずれか記載の吸収性物品装着用パンツにおいて、
前記股下部は、弾性伸縮部材を実質的に含有しない吸収性物品装着用パンツ。
【請求項６】
請求項１から５いずれか記載の吸収性物品装着用パンツにおいて、
前記股下部は、前記長さ方向に直交する幅方向における寸法の最小値が８０ｍｍ以上１４０ｍｍ以下である吸収性物品装着用パンツ。
【請求項７】
請求項１から６いずれか記載の吸収性物品装着用パンツにおいて、
前記吸収性物品が所定位置に配置されるように誘導する誘導部を更に備える吸収性物品装着用パンツ。
【請求項８】
請求項７記載の吸収性物品装着用パンツにおいて、
前記誘導部は、複数種類の形状の吸収性物品がそれぞれ前記所定位置に配置されるように誘導する調節部を有する吸収性物品装着用パンツ。
【請求項９】
請求項１から８いずれか記載の吸収性物品装着用パンツにおいて、
前記股下部の内側に配置され、前記股下部の両側部において前記股下部に接続された防水性の防水シートを更に備え、
前記防水シートは、前記両側部から外方へ延出する延出部を有する吸収性物品装着用パンツ。
【請求項１０】
請求項１から９いずれか記載の吸収性物品装着用パンツと、この吸収性物品装着用パンツの内側に配置される吸収性物品と、を備えるキット。
【発明の詳細な説明】
【技術分野】
【０００１】
本発明は、吸収性物品の装着に用いられるパンツ、及び、吸収性物品装着用パンツを備えるキットに関する。
【背景技術】
【０００２】
従来、吸収性物品の装着に用いられるショーツとして、以下のような構成を備えるものが使用されている（特許文献１参照）。
【０００３】
即ち、このショーツは、前身頃と、後身頃と、これら前身頃及び後身頃の間に介在する股下部と、からなるショーツ本体部を備える。そして、前身頃の上端部及び後身頃の上端部により腰回り部が形成されるとともに、前身頃の下端部及び後身頃の下端部により一対の脚開口部が形成されている。
【０００４】
また、ショーツの内部には、前身頃及び後身頃を結ぶ長さ方向に沿って延びるように保持帯が配置されており、この保持帯の両側縁には、側壁布がショーツの内側方向に立設されている。
【０００５】
このようなショーツは、保持帯の内側にパッド等の吸収性物品が配置された状態で、使用者に装着される。このため、装着時にショーツ本体部が緩んでも、吸収性物品の緩みが抑制され、吸収性物品と着用者身体との密着性が維持される。
【０００６】
また、ショーツ本体部は、伸縮性素材で形成されて、長さ方向に伸縮可能となっている。これにより、ショーツ本体部の収縮力で、保持帯が着用者身体側に持ち上げられ、保持帯上の吸収性物品が着用者の身体に密着される。
【０００７】
以上のように、特許文献１に示される技術は、ショーツ本体部から独立した保持帯を設けるとともに、ショーツ本体部に伸縮性を付与することにより、フィット性を向上しようとするものである。
【特許文献１】特開２００３−１８３９０２号公報
【発明の開示】
【発明が解決しようとする課題】
【０００８】
しかしながら、前述した特許文献１に示されるショーツには、以下のような問題があった。
即ち、ショーツを繰り返して使用するために洗濯を行うと、ショーツ本体部に付与された伸縮性が劣化し、フィット性が悪化する。すると、吸収性物品と着用者身体との間に隙間が生じ、この隙間から体液等が漏出するおそれが強まる。更に、このような傾向は、排出された体液等の重みで吸収性物品が弛み、着用者身体との隙間が広がるにつれて顕著となる。
【０００９】
本発明は、以上のような問題点に鑑みてなされたものであり、繰り返して使用しても優れたフィット性を維持できる吸収性物品装着用パンツ及びキットを提供することを目的とする。
【課題を解決するための手段】
【００１０】
本発明者らは、前身頃及び後身頃を結ぶ長さ方向における股下部の伸張を抑制する構造を設けることで、伸縮性に依存せずにフィット性を向上できることを見出し、本発明を完成するに至った。
【００１１】
（１）  前身頃と、後身頃と、これら前身頃及び後身頃の間に介在する股下部と、前記前身頃の上端部及び前記後身頃の上端部で形成された腰回り部と、前記前身頃の下端部、前記後身頃の下端部、及び前記股下部の両側部で形成された一対の脚開口部と、を備え、内側に吸収性物品が配置される吸収性物品装着用パンツであって、前記前身頃及び前記後身頃を結ぶ長さ方向における前記股下部の伸張を抑制する伸張抑制構造を備える吸収性物品装着用パンツ。
【００１２】
（１）の発明によれば、伸張抑制構造を設けたので、長さ方向における股下部の伸張が抑制される。これにより、股下部上に配置される吸収性物品が股下部に支持されるため、吸収性物品の弛みが抑制される。よって、優れたフィット性が得られる。
しかも、伸縮性素材に依存してフィット性を向上する従来技術とは異なり、（１）の発明は、構造によりフィット性の向上を図ったものである。よって、繰り返して使用しても、上述した優れたフィット性を維持できる。
【００１３】
ただし、伸張抑制構造を備えている限りにおいて、伸縮性素材の使用を特に除外するものではない。つまり、伸縮性素材は、伸張抑制構造を補助するものとして、併用されてもよい。
【００１４】
（２）  （１）記載の吸収性物品装着用パンツにおいて、前記伸張抑制構造は、前記長さ方向に直交する幅方向における前記股下部の中央に関し対称配置されている吸収性物品装着用パンツ。
【００１５】
（２）の発明によれば、伸張抑制構造を幅方向における股下部の中央に関して対称配置したので、股下部の伸張が中央に関して対称に抑制される。これにより、股下部上の吸収性物品がバランス良く支持されるため、より優れたフィット性を得ることができる。
【００１６】
（３）  （１）又は（２）記載の吸収性物品装着用パンツにおいて、前記伸縮抑制構造は、前記股下部が前記長さ方向に沿って互いに接合されて形成された接合部を有する吸収性物品装着用パンツ。
【００１７】
（３）の発明によれば、伸縮抑制構造に接合部を設けたので、この接合部で股下部が互いに接合される。これにより、股下部の長さ方向への伸張が抑制され、股下部上に配置される吸収性物品が股下部に支持されるため、吸収性物品の弛みが抑制される。よって、優れたフィット性を得ることができる。
【００１８】
ここで、接合部は、股下部が接着剤等で互いに接着された接着部であってもよいし、股下部が互いに縫合された縫合部であってもよい。このうち、接合部としては、繰り返し使用によるフィット性の悪化をより抑制できる点で、縫合部が好ましい。
【００１９】
（４）  （３）記載の吸収性物品装着用パンツにおいて、前記接合部は、前記吸収性物品装着用パンツの内側に突出する吸収性物品装着用パンツ。
【００２０】
（４）の発明によれば、接合部が吸収性物品装着用パンツの内側に突出する構成としたので、着用者の脚に挟まれて幅方向に縮められた際、接合部が着用者身体側に接近する可能性が高まる。よって、より高い確率でフィット性を向上できる。
【００２１】
なお、接合部が「吸収性物品装着用パンツの内側に突出する」とは、接合部が内側に折れ曲がりやすいようにパンツ内側に突出していればよく、外側に突出する部分を有しているものを排除するものではない。
【００２２】
（５）  （１）から（４）いずれか記載の吸収性物品装着用パンツにおいて、前記股下部は、弾性伸縮部材を実質的に含有しない吸収性物品装着用パンツ。
【００２３】
（５）の発明によれば、股下部に弾性伸縮部材を実質的に含有させなかったので、繰返し使用の過程で、股下部の伸縮性が劣化するという問題が生じない。よって、フィット性の変化を抑制でき、一定のフィット性を発揮できる。
【００２４】
なお、股下部が「弾性伸縮部材を実質的に含有しない」とは、股下部を構成する素材に弾性伸縮部材が実質的に使用されていないことを指し、脚開口部の周囲（足ぐり部）にゴム等の弾性伸縮部材が使用されている構成を排除するものではない。
【００２５】
（６）  （１）から（５）いずれか記載の吸収性物品装着用パンツにおいて、前記股下部は、前記長さ方向に直交する幅方向における寸法の最小値が８０ｍｍ以上１４０ｍｍ以下である吸収性物品装着用パンツ。
【００２６】
股下部の幅が狭すぎると、股下部上に配置される吸収性物品の姿勢が不安定となってフィット性が悪化するとともに、吸収性物品が股下部の両側からはみ出して外観が損なわれる。一方、股下部の幅が広すぎると、股下部につれて吸収性物品が幅方向に弛み、フィット性が悪化する。
そこで、（６）の発明によれば、股下部の幅の最小値を８０ｍｍ以上１４０ｍｍ以下としたので、外観及びフィット性の悪化を抑制できる。
【００２７】
なお、ここで言う「股下部の幅」とは、吸収性物品装着用パンツが自然状態にある場合における、股下部の幅を指す。
【００２８】
（７）  （１）から（６）いずれか記載の吸収性物品装着用パンツにおいて、前記吸収性物品が所定位置に配置されるように誘導する誘導部を更に備える吸収性物品装着用パンツ。
【００２９】
（７）の発明によれば、誘導部を更に設けたので、吸収性物品は所定位置に配置されるように誘導される。このため、誘導部の配置等を適宜設定することにより、吸収性物品が適切な位置に配置されて、より優れたフィット性を得ることができる。また、股下側への吸収性物品のたくれが抑制されるため、着用者に与える違和感を軽減できる。
【００３０】
誘導部としては、吸収性物品が配置される位置を誘導するものであれば特に限定されず、例えば、吸収性物品を配置すべき位置の外縁を線、色、文字情報で表示するものや、吸収性物品の一定位置（例えば、両端部、外周部）に設けられた係止部（例えば、面ファスナ）に、吸収性物品を適切な位置に配置した際に対向する部分に設けられた被係止部（例えば、起毛部）が挙げられる。
【００３１】
（８）  （７）記載の吸収性物品装着用パンツにおいて、前記誘導部は、複数種類の形状の吸収性物品がそれぞれ前記所定位置に配置されるように誘導する調節部を有する吸収性物品装着用パンツ。
【００３２】
（８）の発明によれば、誘導部に調節部を設けたので、吸収性物品の形状に応じて、その吸収性物品を適切な位置に配置できる。よって、吸収性物品装着用パンツの汎用性を向上できる。
【００３３】
なお、調節部を活用することで、着用者の身体形状に応じて、優れたフィット性が得られるように吸収性物品が配置される位置を変更することもできる。
【００３４】
（９）  （１）から（８）いずれか記載の吸収性物品装着用パンツにおいて、前記股下部の内側に配置され、前記股下部の両側部において前記股下部に接続された防水性の防水シートを更に備え、前記防水シートは、前記両側部から外方へ延出する延出部を有する吸収性物品装着用パンツ。
【００３５】
（９）の発明によれば、股下部の内側に防水シートを設けたので、体液等が吸収性物品から漏出した場合であっても、防水シートを透過できずに、吸収性物品装着用パンツ内部に留まる。よって、体液等の漏出をより確実に抑制できる。
【００３６】
また、防水シートに延出部を設けたので、吸収性物品が股下部の両側からはみ出したとしても、延出部で被覆される。よって、体液等が吸収性物品の両側部から漏出したとしても、延出部で吸収性物品装着用パンツ内部に留められるから、体液等の漏出をより確実に抑制できるとともに、吸収性物品がはみ出すことによる外観の低下を防止できる。
【００３７】
（１０）  （１）から（９）いずれか記載の吸収性物品装着用パンツと、この吸収性物品装着用パンツの内側に配置される吸収性物品と、を備えるキット。
【００３８】
（１０）記載のキットは、（１）から（９）いずれか記載の吸収性物品装着用パンツを備える。よって、（１０）の発明によれば、（１）から（９）の発明と同様の効果が得られる。
【発明の効果】
【００３９】
本発明によれば、伸張抑制構造を設けたので、長さ方向における股下部の伸張が抑制される。これにより、股下部上に配置される吸収性物品が股下部に支持されるため、吸収性物品の弛みが抑制される。よって、優れたフィット性が得られる。
しかも、構造によりフィット性の向上を図ったので、繰り返して使用しても、優れたフィット性を維持できる。
【発明を実施するための最良の形態】
【００４０】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００４１】
＜第１実施形態＞
［全体構成］
図１は、本発明の第１実施形態に係るショーツ１０の正面図である。図２は、ショーツ１０の部分切欠斜視図である。
【００４２】
ショーツ１０は、前身頃１１と、後身頃１３と、これら前身頃１１及び後身頃１３の間に介在する股下部１４と、からなるショーツ本体部を備える。また、ショーツ１０は、接合部としての縫合部１７と、前身頃１１及び後身頃１３の内側に各々設けられた誘導部としての被係止部１８ａ、１８ｂと、股下部１４の内側に配置された防水性の防水シート１９と、を更に備える。
【００４３】
［ショーツ本体部］
本実施形態では、前身頃１１及び後身頃１３の両側部は、２枚の腰当て布１２を介して接続されている。そして、前身頃１１の上端部１１１、腰当て布１２の上端部１２１、及び後身頃１３の上端部１３１により腰回り部１５が形成されるとともに、前身頃１１の下端部１１２、腰当て布１２の下端部１２２、後身頃１３の下端部１３２、及び股下部１４の両側部１４１により一対の脚開口部１６が形成されている。
【００４４】
ショーツ本体部は、幅方向（図１における矢印Ｗ方向）に伸びる素材（例えば、綿１００％のニット、綿／ポリエステルが混紡されたニット、綿／ポリエステル／ナイロンが混紡されたニット）、伸縮性を有する素材（例えば、ポリウレタン混）で形成されてよい。ただし、ポリウレタン混は繰返し使用により劣化するため、フィット性を低下させることが懸念される。このようなことから、少なくとも股下部１４は、弾性伸縮部材を実質的に含有しないことが好ましい。
【００４５】
腰回り部１５及び脚開口部１６の各々は、コールゴムやストレッチテープで形成されている。これにより、腰回り部１５及び脚開口部１６が、着用者の身体の形状や寸法に応じて伸縮し、腰及び脚にそれぞれ密着するため、着用感を向上できるとともに体液等の漏出を抑制できる。
【００４６】
［縫合部］
図３は、パッドが装着された状態を示すショーツ１０の部分切欠斜視図である。図４は、図３のＶ−Ｖ線断面図である。
【００４７】
縫合部１７は、股下部１４が長さ方向（図１における矢印Ｌ方向）に沿って互いに縫合されて形成されたものである。本実施形態では、縫合部１７は１本線となるように縫合され、この線が長さ方向に直交する幅方向における股下部１４の中央に配置されている。即ち、縫合部１７は、幅方向における股下部１４の中央に関し対称配置されている。
【００４８】
また、図４に示されるように、縫合部１７はショーツ１０の内側に突出し、股下部１４及びこの股下部１４上に配置されたパッド２０を、それぞれの幅方向中央部において着用者身体側（図４における上側）に支持している。このように、縫合部１７は、長さ方向における股下部１４の伸張を抑制する伸張抑制構造を構成する。
【００４９】
本実施形態において、縫合部１７は、１００ｍｍ以上３５０ｍｍ以下の長さを有し、長さ方向における股下部の中央を挟んで形成されている。これにより、体液等が排出される尿道口や肛門に対向する広い領域における吸収性物品のフィット性を向上できる。
【００５０】
縫合部１７を設けたことで、股下部１４の幅寸法は狭まり、その最小値（股間）は防水シート本体部１９１の幅寸法の最小値より狭くなる。例えば、防水シート本体部１９１の幅寸法の最小値が１００ｍｍ、股下部１４の幅寸法の最小値が８５ｍｍである。これにより、使用時において、パッド２０の重みによる防水シート１９の下方への伸張が、幅狭の股下部１４で制限されるので、パッド２０の弛みを抑制できる。
【００５１】
［被係止部］
前側に配置された被係止部１８ａと後側に配置された被係止部１８ｂの間の距離は、後述するパッド２０の係止部２２３ａ、２２３ｂの間の距離に略等しい。また、本実施形態では、被係止部１８ａ、１８ｂは起毛部材で略矩形状に形成されるとともに、係止部２２３ａ、２２３ｂは略矩形状の面ファスナで形成され、被係止部１８ａ、１８ｂ及び係止部２２３ａ、２２３ｂの長手方向が、それぞれショーツ１０及びパッド２０の幅方向に沿うように配置されている。これにより、装着時において、被係止部１８ａ、１８ｂの各々は、係止部２２３ａ、２２３ｂに対向され、着脱可能に係止されることになる。また、起毛部材及び面ファスナは適度な強度で接着されるため、使用時にパッドがずれるのを抑制できるとともに、係止操作を誤っても容易に所定位置へと係止し直すことができる。なお、被係止部１８ａ、１８ｂ及び係止部２２３ａ、２２３ｂの長手方向は、必ずしも、ショーツ１０及びパッド２０の幅方向に沿う必要はなく、製造過程における流れ方向又は流れ方向に対して直交する方向と一致する必要もない。
【００５２】
具体的には、被係止部１８ａ、１８ｂは、表側が丸編みシンカーパイルで形成され、パイル生地の仕上がり高さが０．５ｍｍ以上３．０ｍｍ以下、好ましくは０．５ｍｍ以上１．５ｍｍ以下である。強度を向上できる点で、裏側がポリウレタンで積層されていることが好ましい。このような積層構造は、防水シートから体液等が漏れたとしても、ショーツ本体部への体液等の滲出を抑制できる点でも好ましい。
【００５３】
被係止部１８ａ、１８ｂは、着用者が容易に視認できるように、装飾されていることが好ましく、例えば、ショーツ本体部及び防水シート１９とは異なる色で着色されていてもよく、類似の色で異なる濃さで着色されていてもよい。
【００５４】
また、後側に配置される被係止部１８ｂは、着用者の視点から視認しづらいため、係止部２２３ｂの係止が比較的難しいことが懸念される。このため、被係止部１８ｂは、被係止部１８ａよりも大きく形成されることが好ましく、例えば、長さ方向における被係止部１８ａの寸法は２ｃｍ以上４ｃｍ以下であり、被係止部１８ｂの寸法は２ｃｍ以上５ｃｍ以下である。
【００５５】
前述したように、被係止部１８ａ、１８ｂが設けられる位置は、パッド２０の係止部２２３ａ、２２３ｂの設置位置に応じて適宜設定されてよいが、本実施形態では、ショーツ１０を二つ折りにした際の折り目線から、被係止部１８ａは１７ｃｍ以上２０ｃｍ以下、被係止部１８ｂは１５ｃｍ以上２０ｃｍ以下離れた位置にそれぞれ設けられている。
【００５６】
［防水シート］
防水シート１９は、防水シート本体部１９１と、延出部１９２と、を有する。防水シート本体部１９１が股下部１４の両側部１４１において接続されるとともに、この両側部１４１から延出部１９２が外方へ延出している。
【００５７】
前述した通り、防水シート本体部１９１の幅寸法は、股下部１４の幅寸法よりも大きい。また、本実施形態における延出部１９２は略三日月形状であり、前身頃１１及び後身頃１３より幅狭に形成された股下部１４の両側部１４１からはみ出るパッド２０を被覆する。
【００５８】
本実施形態では、防水シート１９は、表がポリエステル、裏がポリウレタンの積層構造を有し、これにより、体液等により防水シート１９が濡れた場合でも、ショーツ本体部への漏れを抑制できる。また、幅方向への伸張性を付与するために、編物生地を使用することが好ましい。これにより、着用者に与える違和感を軽減できるとともに、寸法が縮小されるために製造コストを低減できる。
【００５９】
［パッド］
吸収性物品としてのパッド２０は、液透過性のトップシート２１と、液不透過性のバックシート２２と、これらトップシート２１及びバックシート２２の間に介在する吸収体２３と、トップシート２１の両側部２１１に立設された立体ギャザ２４と、を備える。また、バックシート２２の前端部２２１及び後端部２２２の近傍には、係止部２２３ａ、２２３ｂがそれぞれ設けられている。なお、立体ギャザ２４は必須の構成部品ではなく、立体ギャザ２４を備えないパッド２０が使用されてもよい。
【００６０】
［キット］
本発明は、上述したショーツ１０と、パッド２０と、を備えるキットも提供する。このようなキットによれば、ショーツ１０に装着されるパッド２０の構成が確定されるので、パッド２０はショーツ１０内の適切な位置に確実に配置されて、より優れたフィット性を確実に得ることができる。また、股下側へのパッド２０のたくれが確実に抑制されるため、着用者に与える違和感を確実に軽減できる。
【００６１】
本実施形態によれば、以下のような作用効果が得られる。
（Ａ）縫合部１７からなる伸張抑制構造を設けたので、長さ方向Ｌにおける股下部１４の伸張が抑制される。これにより、股下部１４上に配置されるパッド２０が股下部１４に支持されるため、パッド２０の弛みが抑制される。よって、優れたフィット性が得られる。しかも、縫合部１７という「構造」でフィット性の向上を図ったため、繰り返して使用しても、上述した優れたフィット性を維持できる。
【００６２】
（Ｂ）縫合部１７からなる伸張抑制構造を幅方向Ｗにおける股下部１４の中央に関して対称配置したので、股下部１４の伸張が中央に関して対称に抑制される。これにより、股下部１４上のパッド２０がバランス良く支持されるため、より優れたフィット性を得ることができる。
【００６３】
（Ｃ）縫合部１７がショーツ１０の内側に突出する構成としたので、着用者の脚に挟まれて幅方向Ｗに縮められた際、縫合部１７が着用者身体側に接近する可能性が高まる。よって、より高い確率でフィット性を向上できる。
【００６４】
（Ｄ）股下部１４に弾性伸縮部材を実質的に含有させなかったので、繰返し使用の過程で、股下部１４の伸縮性が劣化するという問題が生じない。よって、フィット性の変化を抑制でき、一定のフィット性を発揮できる。
【００６５】
（Ｅ）股下部１４の幅の最小値を８０ｍｍ以上１４０ｍｍ以下としたので、外観及びフィット性の悪化を抑制できる。
【００６６】
（Ｆ）被係止部１８ａ、１８ｂを更に設け、これら被係止部１８ａ、１８ｂの間の距離をパッド２０の係止部２２３ａ、２２３ｂの間の距離に略等しく構成したので、パッド２０は適切な位置に配置されて、より優れたフィット性を得ることができる。また、股下側へのパッド２０のたくれが抑制されるため、着用者に与える違和感を軽減できる。
【００６７】
（Ｇ）股下部１４の内側に防水シート１９を設けたので、体液等がパッド２０から漏出した場合であっても、防水シート１９を透過できずに、ショーツ１０の内部に留まる。よって、体液等の漏出をより確実に抑制できる。
また、防水シート１９に延出部１９２を設けたので、パッド２０が股下部１４の両側部１４１からはみ出したとしても、延出部１９２で被覆される。よって、体液等が両側部１４１から漏出したとしても、延出部１９２によりショーツ１０内部に留められるから、体液等の漏出をより確実に抑制できるとともに、パッド２０がはみ出すことによる外観の低下を防止できる。
【００６８】
＜第２実施形態＞
図５は、本発明の第２実施形態に係るショーツ１０Ａの部分切欠正面図である。本実施形態では、被係止部１８ａＡが複数の調節部１８１ａ〜１８１ｃを備えている点で第１実施形態と異なる。
【００６９】
即ち、被係止部１８ａＡは、複数の調節部１８１ａ〜１８１ｃで構成され、これら調節部１８１ａ〜１８１ｃは、この順に、着用時における前側から後側へと隣接配置されている。また、調節部１８１ａ〜１８１ｃは、互いに区別されるように構成され、本実施形態ではそれぞれ異なる色で着色されている。
【００７０】
なお、本実施形態では、被係止部１８ａＡを調節部１８１ａ〜１８１ｃで構成したが、被係止部１８ｂを調節部で構成してもよい。また、本実施形態では、調節部１８１ａ〜１８１ｃが互いに隣接されているが、所定の隙間を介して離間されていてもよい。
【００７１】
また、図示はされていないが、調節部１８１ａ〜１８１ｃにそれぞれ対応するパッドの情報が、ショーツ１０Ａに掲載されていてもよい。なお、このような情報の掲載位置としては、ショーツ１０Ａに限定されず、パッド２０、ショーツ１０Ａ又はパッド２０の包装容器等が挙げられる。
【００７２】
本実施形態によれば、第１実施形態による作用効果に加えて、次の作用効果が得られる。
（Ｈ）被係止部１８ａＡに調節部１８１ａ〜１８１ｃを設けたので、パッドの形状に応じて、そのパッドを適切な位置に配置できる。よって、ショーツ１０Ａの汎用性を向上できる。なお、調節部１８１ａ〜１８１ｃを活用することで、着用者の身体形状に応じて、優れたフィット性が得られるようにパッドが配置される位置を変更することもできる。
【００７３】
＜第３実施形態＞
図６は、本発明の第３実施形態に係るショーツ１０Ｂの正面図である。図７は、ショーツ１０Ｂの長さ方向中央における断面図である。
【００７４】
本実施形態では、縫合部１７Ｂの構成が第１実施形態と異なる。
即ち、縫合部１７Ｂは、２本の線で構成されており、これらの線が幅方向Ｗにおける股下部１４の中央に関し対称配置されている。これにより、図７に示されるように、縫合部１７Ｂは、股下部１４及びこの股下部１４上に配置されたパッド２０を、２点において、それぞれの幅方向中央に関して対称に着用者身体側（図７における上側）へと支持している。
【００７５】
なお、本実施形態では、縫合部１７Ｂを２本の線で構成したが、幅方向Ｗにおける股下部１４の中央に関し対称配置されている限りにおいて特に限定されず、３本以上の線で構成してもよい。
【００７６】
本実施形態によれば、第１実施形態による作用効果に加えて、次の作用効果が得られる。
（Ｉ）縫合部１７Ｂを２本の線で構成したので、股下部１４上に配置されるパッド２０が股下部１４に２点で支持されるため、パッド２０の弛みがより抑制される。よって、より優れたフィット性が得られる。
【００７７】
〔変形例〕
なお、本発明は前記実施形態に限定されるものではなく、本発明の目的を達成できる範囲での変形、改良等は本発明に含まれるものである。
例えば、前記実施形態では、ショーツ本体部が腰回り部１２を備える構成としたが、特に限定されず、腰回り部を備えず、前身頃及び後身頃により腰回りを覆う構成でもよい。また、前身頃、後身頃、及び股下部は、別体として成形されていてもよく、一体的に成形されていてもよい。
また、前記実施形態では、吸収性物品装着用パンツとして女性用のショーツ１０を開示したが、特に限定されず、男性用であってもよい。この場合、想定される着用者尿道口の位置が異なるので、縫合部１７の長さや位置が適宜変更されてよい。
その他、以下のような変形例が挙げられる。
【００７８】
図８は、本発明の一変形例に係るショーツ１０Ｃの正面図である。
本変形例では、被係止部１８ａＣの構造が第１実施形態と異なる。
即ち、被係止部１８ａＣは、調節部１８１ａＣと、この調節部１８１ａＣの幅方向Ｗの中央から後側へと延出する調節部１８１ｂＣを更に備える。
【００７９】
なお、本変形例では、被係止部１８ａＣを調節部１８１ａＣ、１８１ｂＣで構成したが、被係止部１８ｂを調節部で構成してもよい。これにより、着用者の視点から視認しづらい係止部２２３ｂの係止を容易に行うことができる。また、調節部１８１ａＣ、１８１ｂＣは、一体的に形成されていてもよく、別体として形成されていてもよい。
【００８０】
更に、調節部１８１ｂＣの形状、寸法、設置数等は、特に限定されず、目的に応じて適宜設定されてよい。例えば、本変形例では、調節部１８１ｂＣが１つのみ設けられているが、複数個設けられていてもよい。
【図面の簡単な説明】
【００８１】
【図１】本発明の第１実施形態に係る吸収性物品装着用パンツの正面図である。
【図２】前記実施形態に係る吸収性物品装着用パンツの部分切欠斜視図である。
【図３】吸収性物品が装着された状態における前記実施形態に係る吸収性物品装着用パンツの部分切欠斜視図である。
【図４】図３のＶ−Ｖ線断面図である。
【図５】本発明の第２実施形態に係る吸収性物品装着用パンツの部分切欠正面図である。
【図６】本発明の第３実施形態に係る吸収性物品装着用パンツの正面図である。
【図７】前記実施形態に係る吸収性物品装着用パンツの長さ方向中央における断面図である。
【図８】本発明の一変形例に係る吸収性物品装着用パンツの正面図である。
【符号の説明】
【００８２】
１０  ショーツ（吸収性物品装着用パンツ）
１１  前身頃
１１１  上端部
１１２  下端部
１３  後身頃
１３１  上端部
１３２  下端部
１４  股下部
１４１  両側部
１５  腰回り部
１６  脚開口部
１７  縫合部（伸張抑制構造、接合部）
１８  被係止部（誘導部）
１８１  調節部
１９  防水シート
１９２  延出部
２０  パッド（吸収性物品）
Ｌ  長さ方向
Ｗ  幅方向
【図１】
2008022962.tif 000003
【図２】
2008022962.tif 000004
【図３】
2008022962.tif 000005
【図４】
2008022962.tif 000006
【図５】
2008022962.tif 000007
【図６】
2008022962.tif 000008
【図７】
2008022962.tif 000009
【図８】
2008022962.tif 000010